(57)【要約】電動ステープラー（１）に対し解放可能に設けられることが意図されているステープルブランク（８）を収納しているステープルカートリッジ（７）であり、電動ステープラー（１）のモータ（１０）は電流回路（１９）中に含まれていて、この電流回路により駆動されている。さらに、電流回路（１９）の一部位がステープルカートリッジ（７）に対し設けられている。【選択図】    図１
2013523501.tif 000002
【特許請求の範囲】
【請求項１】
電動ステープラー（１）に解放可能に設けられることを意図されているステープルブランク（８）を収容しているステープルカートリッジ（７）であって、電動ステープラー（１）のモータ（１０）が電流回路（１９）中に含まれていてこの電流回路により駆動され、電流回路（１９）の電流回路部（１８）がステープルカートリッジ（７）に設けられていることを特徴としているステープルカートリッジ。
【請求項２】
電流回路部（１８）が、前記カートリッジの内容についての情報を格納するよう構成されている装置（１５）を含む、ことを特徴とする請求項１中に請求されている如きステープルカートリッジ。
【請求項３】
前記装置（１５）は記憶回路である、ことを特徴とする請求項２中に請求されている如きステープルカートリッジ。
【請求項４】
前記情報は前記カートリッジ中に搭載されているステープルの寸法に関する情報を備えている、ことを特徴とする請求項２中に請求されている如きステープルカートリッジ。
【請求項５】
前記情報は前記カートリッジ中に最初に搭載されたステープルの数に関する情報を備えている、ことを特徴とする請求項２中に請求されている如きステープルカートリッジ。
【請求項６】
前記情報は前記カートリッジ中に残っているステープルの数に関する情報を備えている、ことを特徴とする請求項２中に請求されている如きステープルカートリッジ。
【請求項７】
前記電流回路は駆動回路（３４）及び制御回路（３５）を備えている、ことを特徴とする請求項１乃至６のいずれか１項中に請求されている如きステープルカートリッジ。
【請求項８】
解放可能なステープルカートリッジ（７）及び電流回路（１９）により駆動される電気モータ（１０）を含んでいるステープラー（１）であって、電流回路（１９）は前記ステープルカートリッジに設けられた電流回路部（１８）により閉じ込められている、ことを特徴とするステープラー（１）。
【発明の詳細な説明】
【技術分野】
【０００１】
この発明はステープルブランクを収容しているステープルカートリッジに関係していて、このカートリッジは電動ステープラー中に除去可能に設けられることを意図されており、電動ステープラーのモータは電力回路の一部位を形成し、そしてこの電力回路により駆動されている。
【０００２】
この発明はまた、この発明に従っているステープルカートリッジと協働するよう適合されているステープラーに関係している。
【背景技術】
【０００３】
電動ステープラー中に除去可能に設けられることを意図されているステープルカートリッジは、当該技術において普通である。名指しする為にはそれらは少ないが、このようなステープラー及びカートリッジは、この出願の出願人自身の特許明細書ＥＰ０６３６０５８，ＥＰ０６３６０５９，そしてＷＯ  ２００６／０３６０９８中に開示されていると言って良い。
【０００４】
これら従来のステープルカートリッジに対し共通の特徴は、それに対しステープルカートリッジが設置されることが意図されているステープラーが、ステープラー中にステープルカートリッジがあるか否か、又、ステープルカートリッジが空であるか否か、に係らず、指定されたステープル止め（stapling）工程を実行することである。さらには、ステープル止め工程は、カートリッジが厚い又は薄い書類の束の為のステープルが搭載されているかは無関係に行われる。これは、ステープル止め工程が、空のステープルカートリッジを伴い又は如何なるステープルカートリッジもステープラー中に搭載されないで、実行された時には、ステープル止めが行われず、そして、ステープラーにより行われた作業は不必要になる。ステープラーは空の工程として知られていることを行う。
【０００５】
ステープルカートリッジが薄い書類の束の為に意図されているステープルを収容している時、厚い種類の束をステープル止めすることが意図されていたならば、満足のいくステープル止めは達成されない。薄い書類の束がステープル止めされた時に厚い書類の為のステープルが使用されたならばそのステープル止めも満足されない。さらには、カートリッジ中に収容されているステープルの型とは無関係にステープル止めが行われるので、個々のステープル止め工程がカートリッジに最もエネルギーを要求するステープルが搭載されているという仮定の下で行われる。この不必要なエネルギー消費を課すこととは別に、複数のステープラーが同じ部屋に置かれていて同時に使用された時には不愉快になる増大された騒音水準もまた生じる。さらには、この環境はまた、ステープラー専門家が不必要な消耗にさらされることを引き起こす。
【０００６】
さらには、これらの従来のカートリッジは、如何なる時にもカートリッジ中に如何に多くのステープルが残っているかについての情報を提供しない。このことは、ステープル止めが要求されている時にカートリッジが空になる、即ち、ステープル止めの連続がカートリッジ中に残っているステープルの数よりも多く要求されている、ことにより、書類の束がステープル止めされないで残るという結果になる。さらには、使用者が、必要時に新たなカートリッジを注文しないという危険性がある。
【０００７】
米国特許番号（USPS）６，７１５，６５４は、それが搭載されるステープラーと協働して、使用者がカートリッジ中に搭載されているステープルの寸法を確かめることを可能にする手段が設けられているステープルカートリッジを記載している。さらには、カートリッジがステープルを収容しているか又は空であるかについての情報が提供される。カートリッジ中に搭載されているステープルの寸法を確かめることが出来るという特性は、ステープル止めされることが出来る書類の束の厚さが何であるかを困難さを伴うことなく知ることが出来るという利点、そして、容易に知ることが出来るように、カートリッジが空であることを確認することが出来て空のステープル止め工程を行う必要が無いとい利点、を提供する。しかしながら、この特許明細書は、空のステープラーでステープル止めを行う、即ち、ステープラーが空の工程を行う、ことを阻止する為にこれらのパラメータのいずれを使用するかについては沈黙している。
【０００８】
米国特許番号（USPS）６，４７４，６３３は、カートリッジ中に搭載されているステープルの寸法を確認することが可能なようにステープラー中の手段と協働する手段が設けられているカートリッジを開示している。この明細書もまた、正しくないステープル寸法が採用されているならばステープル止め工程が阻止されるかどうか、又は、意図されている書類の束のステープル止めの為にステープラーに適用するのに唯一使用されるステープルの寸法の知識、についての如何なる指摘も提供していない。
【０００９】
日本国２００２−１９６１３５は、カートリッジ中に如何に多くのステープルが残されているかを検出する検出手段が設けられているステープラーを開示している。これらの手段は、カートリッジの外側に配置されている装置により読み取られる、カートリッジ中に配置されている一部位を備えている。しかしながら、この読み取りは非常に不正確であり、そして、その読み取られた値はどの位多くのステープルがカートリッジ中に残されているかを使用者が推測することが出来るようにのみ使用されている。
【００１０】
米国特許番号（USPS）４，９７８，０４５は、カートリッジの外側に配置されていて、カートリッジの中身が大きく消費された時に、これがステープラーの使用者により読み取られて良いディスプレイ上に登録されるようカートリッジの内容を登録している検出装置を有しているステープラーを開示している。しかしながら、この発明は、読み取りが、カートリッジ中のステープルの貯蔵が大体消費されたという事実に関する情報を提供するのみであり、この理由によりカートリッジが空であるという事実から離れてステープラーを制御する為の値の読み取りが得られない。読み取り装置がカートリッジの外側に位置されていることは、これを外乱に対し敏感にし、この理由の為に読み取られた値は信頼されることが出来ない。
【００１１】
これらの従来のカートリッジに共通する特徴は、しかしながら、空のステープル止め工程を阻止する装置の欠如か、又は、カートリッジの内容に関する限定されている情報のみを提供する手段が設けられているか、又は、読み取られた値が、カートリッジの設計及び構造の理由で、非常に信頼性がないか、の何れかである。
【発明の概要】
【００１２】
従って、当該技術分野においては、空のステープル止め工程が阻止されような方法でその内容についての信頼性のある情報を提供し、そして、ステープラーのステープル止め工程を制御しステープラーの使用を適切にする為のカートリッジの内容についての信頼性のある情報を提供するような設計及び構成を示すカートリッジを実現することの必要性がある。
【００１３】
また、当該技術分野においては、このようなカートリッジと協働して使用することが出来るよう適合されたステープラーを実現することの必要性がある。
【００１４】
この発明は従って、導入によってステープルカートリッジの型とともに上述された特性を開示するステープルカートリッジを提供し、このステープルカートリッジは電力回路の一部位がステープルカートリッジに連結されていることを特徴としている。
【００１５】
更には、この発明は、前記ステープルカートリッジに連結された前記動力供給回路の部位が、ステープルカートリッジの内容に関する情報を貯蔵できる手段を含む、ことを特徴としている。
【００１６】
この発明はさらに、前記手段が記憶回路を備えていることを特徴としている。
【００１７】
この発明はまた、前記情報が前記カートリッジ中に搭載されているステープルの寸法に関する情報を含むことを特徴としている。
【００１８】
この発明はまたさらに、前記情報が前記カートリッジ中に最初に搭載されたステープルの数に関する情報を含むことを特徴としている。
【００１９】
この発明はまたさらに、前記情報が前記カートリッジ中に残っているステープルの数を含むことを特徴としている。
【００２０】
この発明はまたさらに、前記電流回路が駆動回路及び制御回路を示すことを特徴としている。
【００２１】
さらには、この発明は、動力回路が前記ステープルカートリッジに連結されていることにより閉じ込められている動力回路を示しているステープラーを実現する。
【図面の簡単な説明】
【００２２】
この発明は、添付の図面を参照して、これから以下により詳細に記載される。
【図１】図１は、装着されているこの発明に従っているカートリッジを伴っているステープラーの概略図である。
【図２】図２は、この発明に従っているステープルカートリッジを図示している図である。
【図３】図３は、ステープラー中に含まれている電流回路の代わりの実施形態を図示している図である。
【発明を実施するための形態】
【００２３】
図１は、この発明を包含しているステープラー１の高度に概略化された図である。図から明らかになるように、このステープラーは、基礎部分２及び枢動軸４により枢動可能に連結されたステープラー部分３を備えている。基礎部分２及びステープラー部分３は両方向矢印Ｖにより指摘されているステープル止め動作において枢動軸４の周りで互いに往復移動されることが出来る。金床５が基礎部分２上に配置されていて、その上にはステープル止めされる被加工物６が載置されている。ステープルカートリッジ７がステープラー部分３の為に設けられていて、その中にはステープル８がリール形状で装着されていて、それに対しては駆動装置９が連結されている。当該技術分野において習熟している人々には当然知られている方法で、ステープルカートリッジはステープラー上に取り外し可能に設けられており、この理由の為にこれらの相互連結はここではより詳細には記載されない。電動モータ１０が基礎部分２中に位置されていて、それは介在リンク１１を介し、枢動軸４に対し枢動可能に軸支されている駆動アーム１２に連結されており、駆動アーム１２の反対端は駆動装置９に連結されている。供給装置１３が基礎部分２に設けられていて、それは以下により詳細に記載される方法により、ステープルカートリッジ９中の開口１４を介しステープル８のリール（reel）を前進させる。
【００２４】
図２はステープルカートリッジ７の詳細を示している。装置１５が前記カートリッジに設けられていて、そして、第１及び第２電気連結手段１６及び１７が夫々設けられている。装置１５は、以下に記載される電流回路配置の電流回路部１８を形成している。
【００２５】
電流供給配置１９は図１から明らかであり、陽電極２１とカートリッジ７上の連結手段１６との間を延出している第１導電部材２０を備えている。その後の電流回路は、電流回路部分１８を形成している装置１５を通って及び第２連結手段１７を通って、モータ１０に連結されている第２導線２２へと進行している。モータ１０からは、陰極２４に連結されている第３導線部分２３が進行している。第１導線部分２０上には、スイッチ２５があり、そして、第２導線部分上には表示ユニット２６が設けられている。
【００２６】
ステープラー１は、当然知られている如く、スイッチ２５が電流回路１９を閉じた時、電流Ｉは導線２０を介し連結手段１６へと進行し、その後にそれは導電線２２を介し第２連結手段１７を越えてモータ１０へと進行し、そしてその後に前記モータを介し導電線２３へと、さらには陰極２４へと進行する。
【００２７】
電流Ｉが前記モータを通って進行すると、モータ１０はリンク１１を介し駆動アーム１２を駆動し、それによって、基礎部分２及び前記ステープラーユニット３は互いに向かい移動され被加工物６に接触する。その後、駆動アーム１２は駆動装置９を基礎部分２に向かう方向にさらに駆動し、それによりステープルは被加工物６中に駆動され、それにより被加工物のステープル止めが当然知られている如く実現される。この一連の進行の間、供給装置１３はステープルリール８と協働しステープルの進行を駆動装置９が動作する位置に向かい行う。その後、前記モータは前記基礎部分及び前記ステープルユニットを図１中に図示されている位置に向かい互いに正反対の方向に駆動させ続け、そして、前記ステープラーはそれにより１つのステープル動作を実行し、そして、新たなステープル止め作業を行う為の位置に置かれる。
【００２８】
図３は、電流回路配置１９の代わりの実施形態を示している。この代わりの配置においては、マイクロプロセッサー２７が含まれている。導線２８が陽極２１から前記マイクロプロセッサーへと連結されている。導線２９が前記マイクロプロセッサーから前記カートリッジ上に設けられている装置１５へと導かれ、そして装置１５から導線３０がマイクロプロセッサー２７へと戻っている。前記マイクロプロセッサーからは、導線３１がモータ１０へと導かれ、そしてモータ１０からは、更なる導線３２が前記マイクロプロセッサーへと進行している。最後に、導線３３が前記マイクロプロセッサーから陰極２４へと進行している。この配置においては、電流Ｉが、陽極２１から、導線２８を介してマイクロプロセッサー２７へと進行する。マイクロプロセッサーからはさらに、電流が導線２９を介して、前記カートリッジ上に設けられている装置１５へと進行する。この装置からは、電流が導線３０を介してマイクロプロセッサー２７へと戻り進行する。装置１５によりマイクロプロセッサー２７へと発射された信号の型に従い、前記マイクロプロセッサーはさらに導線３１を介して前記モータの動作の為に電流をモータ１０へと伝達し、そして導線３２を介して電流がその後にマイクロプロセッサー２７へと連続し、そしてそれ以降導線３３を介して陰極２４へと進行する。従って、この電流回路配置は駆動回路配置３４及び制御回路配置３５を包含している。駆動回路３４中の電流Ｉは、陽極２１から対応しているスイッチ２５を伴う導線２８，マイクロプロセッサー２７，導線３１，モータ１０，導線３２，マイクロプロセッサー２７，導線３３を通って陰極２４へと進行する。制御回路３５中の電流Ｉは、マイクロプロセッサー２７から、導線２９，装置１５，表示器２６が対応されている導線３０を介し、マイクロプロセッサー２７へと走る。
【００２９】
装置１５は、前記カートリッジ中に搭載されているステープルの寸法，所定の時に如何に多くのステープルがあるかを前記カートリッジ中にあるか，又は前記カートリッジが空かどうかについての情報を格納していて良い、それ自身が知られている、記憶回路の如き電気要素から成っていて良い。この情報は、それ自身知られている方法により、前記マイクロプロセッサー中で処理され、そして前記マイクロプロセッサーは前記カートリッジの内容に関連して適合されている電流をモータへと放出する。
【００３０】
その中を電流Ｉが進行する装置１５は前記カートリッジ上に位置されていて、前記ステープラー中にステープルカートリッジが設けられていなかったならば前記ステープラーは始動されることが出来ないことを確実にしている。さらには、装置１５が前記カートリッジ上に位置されているのであれば、装置１５に伝達される前記カートリッジの内容の検知が非常に信頼性があり精密になり、そして外乱にさらされないことを確実にしている。
【００３１】
導線２２上に設けられている表示器２６はデジタルで表示出来るそれ自身が知られている型の表示器から成り、前記カートリッジの内容に関係している前記ステープラーの情報を使用者に伝え、そしてそれによりまた使用者に前記ステープラーがどのように採用できるかについての情報を提供する。
【００３２】
前述した記載から明らかになる如く、ステープラー１は前記ステープルカートリッジを部分的に通って進行していて前記ステープルカートリッジが前記ステープラーに適合された時に閉じられ、前記ステープラー中の位置に前記カートリッジがない場合にはステープル止めが行われないことを引き起こす電流回路配置１９を表示している。
【００３３】
この発明は前記記載により限定されす、添付の請求項の範囲にのみ限定される。
【図１】
2013523501.tif 000003
【図２】
2013523501.tif 000004
【図３】
2013523501.tif 000005
【国際調査報告】
2013523501.tif 000006
2013523501.tif 000007
2013523501.tif 000008
2013523501.tif 000009